(57)【要約】【課題】構造が簡単で像を切り替えて見ることができる識別媒体を提供する。【解決手段】識別媒体１０１は、コレステリック液晶により表示される星型パターン２０２を備えている。星型パターン２０２は、複数のドット状のパターンにより構成されており、これらドット状のパターンは、反射する中心波長が異なる第１のドット状のパターン群と、第２のドット状のパターン群とを含んでいる。そして、第１のドット状のパターン群により第１の色の星型パターン２０２が構成され、第２のドット状のパターン群により第２の色の星型パターン２０２が構成されている。【選択図】図２
2011099888.tif 000002
【特許請求の範囲】
【請求項１】
複数のドット状のパターンにより構成されたコレステリック液晶層を備え、
前記複数のドット状のパターンは、反射光の旋回方向または中心波長が異なる第１のドット状のパターン群と、第２のドット状のパターン群とを含むことを特徴とする識別媒体。
【請求項２】
前記第１のドット状のパターン群と、前記第２のドット状のパターン群とは、反射する反射光の旋回方向と中心波長の両方が異なることを特徴とする請求項１に記載の識別媒体。
【請求項３】
前記第１のドット状のパターン群は、第１の像を形成し、
前記第２のドット状のパターン群は、第２の像を形成し、
前記第１の像と前記第２の像とは同じ像であり、且つ、重なる位置に形成されていることを特徴とする請求項２に記載の識別媒体。
【請求項４】
前記複数のドット状のパターンは、前記第１のドット状のパターン群および前記第２のドット状のパターン群からの反射光と異なる中心波長の光を反射する第３のドット状のパターン群を更に含み、
前記第１のドット状のパターン群、前記第２のドット状のパターン群および前記第３のドット状のパターン群のそれぞれは、ＲＧＢの３原色に対応する中心波長の光を反射することを特徴とする請求項３に記載の識別媒体。
【請求項５】
前記第１のドット状のパターン群からの反射光と前記第２のドット状のパターン群からの反射光とは、旋回方向が異なり、
前記第１のドット状のパターン群から構成される第１の像と、前記第２のドット状のパターン群から構成される第２の像とがずれた位置にあることを特徴とする請求項１に記載の識別媒体。
【請求項６】
前記第１の像が右目用の像を構成し、前記第２の像が左目用の像を構成し、前記第１の像と前記第２の像とで立体像が構成されていることを特徴とする請求項５に記載の識別媒体。
【請求項７】
前記コレステリック液晶層に接して設けられた回折格子層を更に備え、
前記回折格子層は配向処理が施され、または配向層を兼ねており、
前記回折格子層によりホログラム像が形成されていることを特徴とする請求項１〜６のいずれか一項に記載の識別媒体。
【請求項８】
前記コレステリック液晶層にホログラム加工が施されていることを特徴とする請求項１〜７のいずれか一項に記載の識別媒体。
【請求項９】
右または左旋回円偏光を選択的に透過する光学フィルタにより、請求項２〜５のいずれか一項に記載の識別媒体を観察することで前記第１のドット状のパターン群により構成される第１の像を選択的に観察することを特徴とする識別媒体の識別方法。
【請求項１０】
請求項６に記載の識別媒体を第１の旋回方向を選択的に透過する光学フィルタにより右目で観察し、第２の旋回方向を選択的に透過する光学フィルタにより左目で観察することで、立体像を観察することを特徴とする識別媒体の識別方法。
【発明の詳細な説明】
【技術分野】
【０００１】
本発明は、カラー表示を利用した識別媒体およびその識別方法に関する。
【背景技術】
【０００２】
コレステリック液晶を用いた識別媒体が知られている。例えば、特許文献１には、ホログラムとコレステリック液晶を組み合わせた構造の識別媒体が記載されている。特許文献２には、コレステリック液晶成分を粒状にし、それをインク中に分散させたものを用いて印刷によりコレステリック液晶層を形成する技術が記載されている。特許文献３には、ホログラムを構成する回折構造を液晶材料の配向と光学的回折効果によるホログラムの表示に利用する構成が記載されている。特許文献４には、偏光方向を回転させる特性を有する液晶領域と円偏光特性を有する液晶領域を利用して画像を形成する構成が記載されている。
【０００３】
【特許文献１】特開２００６−１４５６８８号公報
【特許文献２】特許４２７８７３１号公報
【特許文献３】特表２００６−５２５１３９号公報（「００６６」〜「００７６」段落）
【特許文献４】特表２００７−５３２９５９号公報（「００２１」段落、「００２２」段落）
【発明の開示】
【発明が解決しようとする課題】
【０００４】
特許文献１に記載された構成は、配向膜または配向処理が必要となる。このため構造が複雑化し、製造工程が煩雑化する。特許文献２に記載された構成は、コレステリック液晶成分が粒状に分散しているので、透過光が分散され、透明感に欠ける（白濁して見える）。特許文献３に記載された構成は、回折構造が配向膜を兼ねているので、その点で構造が簡略化されるが、色彩が切り替わるような像の変化は得られず、識別機能に欠ける。特許文献４に記載された構成も、色彩が切り替わるような像の変化は得られず、識別機能に欠ける。
【０００５】
このような背景において、本発明は、構造が簡単で像を切り替えて見ることができる識別媒体を提供することを目的とする。
【課題を解決するための手段】
【０００６】
請求項１に記載の発明は、複数のドット状のパターンにより構成されたコレステリック液晶層を備え、前記複数のドット状のパターンは、反射光の旋回方向または中心波長が異なる第１のドット状のパターン群と、第２のドット状のパターン群とを含むことを特徴とする識別媒体である。
【０００７】
請求項１に記載の発明によれば、反射光の旋回方向の違いによって、第１のドット状のパターン群により構成される第１の像と、第２のドット状のパターン群により構成される第２の像とが構成される。この２つの像は、いずれかの旋回方向を選択的に透過する円偏光フィルタによって分離して観察することが可能となる。また、ドットにより像を形成することができるので、構造が簡単でありながら識別性の高い像を表示することが可能となる。このため、簡単な構造でありながら像の切り替えを利用した識別を行える識別媒体が提供される。
【０００８】
請求項２に記載の発明は、請求項１に記載の発明において、第１のドット状のパターン群と、第２のドット状のパターン群とは、反射する反射光の旋回方向と中心波長の両方が異なることを特徴とする。請求項２に記載の発明によれば、旋回方向の違いで分離されて観察される２つの像の色彩が異なるので、更に高い識別機能を得ることができる。例えば、右旋回円偏光を選択的に透過する光学フィルタを用いることで、赤色の像を視認し、左旋回円偏光を選択的に透過する光学フィルタを用いることで、青色の像を視認することができる識別媒体が提供される。また、コレステリック液晶からの反射光の中心波長の違いにより色彩が与えられるので、カラーの像が観察できる構成でありながらカラーフィルタを必要とせず、シンプルな構成とできる。
【０００９】
請求項３に記載の発明は、請求項２に記載の発明において、第１のドット状のパターン群は、第１の像を形成し、第２のドット状のパターン群は、第２の像を形成し、前記第１の像と前記第２の像とは同じ像であり、且つ、重なる位置に形成されていることを特徴とする。
【００１０】
請求項３に記載の発明によれば、直視により第１の像と第２の像の色が合成された色彩が観察される。例えば、第１の像が赤で第２の像が青である場合、マゼンダの色の像が観察される。そして、第１の旋回方向の円偏光を選択的に透過する円偏光フィルタを介して観察することで、第１の色の像を観察でき、第２の旋回方向の円偏光を選択的に透過する円偏光フィルタを介して観察することで、第２の色の像を観察できる。すなわち、円偏光フィルタの使用の有無や旋回方向の違いによって、色が切り替わる像の観察が行える。
【００１１】
請求項４に記載の発明は、前記複数のドット状のパターンは、前記第１のドット状のパターン群および前記第２のドット状のパターン群からの反射光と異なる中心波長の光を反射する第３のドット状のパターン群を更に含み、前記第１のドット状のパターン群、前記第２のドット状のパターン群および前記第３のドット状のパターン群のそれぞれは、ＲＧＢの３原色に対応する中心波長の光を反射することを特徴とする請求項３に記載の識別媒体である。
【００１２】
請求項４に記載の発明によれば、ＲＧＢの３原色を利用したカラー像を識別に利用することができる。特にＲＧＢの割合を調整することで、色彩の階調表示を識別に利用することができる。この仕組みによれば、カラーの階調表示が可能となるので、微細なカラー像を識別に用いることができる。
【００１３】
請求項５に記載の発明は、請求項１に記載の発明において、前記第１のドット状のパターン群からの反射光と前記第２のドット状のパターン群からの反射光とは、旋回方向が異なり、前記第１のドット状のパターン群から構成される第１の像と、前記第２のドット状のパターン群から構成される第２の像とがずれた位置にあることを特徴とする。請求項５に記載の発明によれば、旋回方向の違いにより、ずれた位置にある２つの像を区別して視認することができる。なお、ずれた位置にある２つの像は、重なりがあっても良いし、重なりがなくても良い。
【００１４】
請求項６に記載の発明は、請求項５に記載の発明において、前記第１の像が右目用の像を構成し、前記第２の像が左目用の像を構成し、前記第１の像と前記第２の像とで立体像が構成されていることを特徴とする。請求項６に記載の発明によれば、立体像を識別に利用することができる。
【００１５】
請求項７に記載の発明は、請求項１〜６のいずれか一項に記載の発明において、前記コレステリック液晶層に接して設けられた回折格子層を更に備え、前記回折格子層は配向処理が施され、または配向層を兼ねており、前記回折格子層によりホログラム像が形成されていることを特徴とする。請求項７に記載の発明によれば、ホログラム像を形成するための回折格子層を利用してコレステリック液晶の配向を行うので、構造が簡略化される。
【００１６】
請求項８に記載の発明は、請求項１〜７のいずれか一項に記載の発明において、前記コレステリック液晶層にホログラム加工が施されていることを特徴とする。請求項８に記載の発明によれば、コレステリック液晶層に施されたホログラム加工により構成されるホログラムを識別に利用することができる。
【００１７】
請求項９に記載の発明は、右または左旋回円偏光を選択的に透過する光学フィルタにより、請求項２〜５のいずれか一項に記載の識別媒体を観察することで前記第１のドット状のパターン群により構成される第１の像を選択的に観察することを特徴とする識別媒体の識別方法である。請求項９に記載の発明によれば、一方の旋回方向の円偏光を透過する光学フィルタを用いて観察することで、第２のドット状のパターン群により構成される第２の像が見えずに（あるいは見え難く）、第１のドット状のパターン群により構成される第１の像を見ることができる。また、光学フィルタを用いないで観察することで、第１の像と第２の像とが一緒に見える。この際の色彩の違いを利用することで識別が行われる。
【００１８】
請求項１０に記載の発明は、請求項６に記載の識別媒体を第１の旋回方向を選択的に透過する光学フィルタにより右目で観察し、第２の旋回方向を選択的に透過する光学フィルタにより左目で観察することで、立体像を観察することを特徴とする識別媒体の識別方法である。請求項１０に記載の発明によれば、立体像を利用した識別が可能な識別媒体が提供される。
【発明の効果】
【００１９】
本発明によれば、構造が簡単で像を切り替えて見ることができる識別媒体が提供される。
【図面の簡単な説明】
【００２０】
【図１】実施形態の識別媒体の断面構造を示す概念図である。
【図２】実施形態の識別媒体を正面から直視した場合の正面図である。
【図３】光学フィルタの正面図（Ａ）と円偏光フィルタ部の断面図（Ｂ）である。
【図４】円偏光フィルタを介して観察した実施形態の識別媒体の正面図である。
【図５】円偏光フィルタを介して観察した実施形態の識別媒体の正面図である。
【図６】円偏光フィルタを介して観察した実施形態の識別媒体の正面図である。
【図７】円偏光フィルタを介して観察した実施形態の識別媒体の正面図である。
【図８】円偏光フィルタを介して観察した実施形態の識別媒体の正面図である。
【図９】実施形態の識別媒体における液晶層のドット構造を示す概念図である。
【図１０】実施形態の識別媒体における液晶層のドット構造を示す概念図である。
【図１１】実施形態の識別媒体の断面構造を示す概念図である。
【図１２】実施形態の識別媒体の見え方を示す正面図である。
【発明を実施するための形態】
【００２１】
（１）第１の実施形態
（識別媒体）
図１には、識別媒体１０１が示されている。識別媒体１０１は、観察する側から、保護層１０２、ホログラム形成層１０３、コレステリック液晶層１０５、接着層１０６と積層された構造とされている。なお識別の対象となる物品に貼り付けられていない状態においては、接着層１０６の露出面に離型紙が貼り付けられている（図１では、図示省略）。
【００２２】
保護層１０２は、識別に利用する光を透過する光透過性を有し、また透過する光の偏光の状態を乱さない材質により構成されている。保護層１０２の材料としては、例えばＴＡＣ（トリアセチルセルロース（Triacetylcellulose））フィルムが利用される。
【００２３】
ホログラム形成層１０３は、回折格子が形成された回折格子層として機能する。ホログラム形成層１０３は、光透過性を有した熱可塑性または熱硬化性の樹脂の層である。ホログラム形成層１０３には、ホログラムを表示させるための回折格子１０４（ホログラム型）が熱プレスにより形成されている。回折格子１０４のピッチは、１００ｎｍ〜１５００ｎｍ、回折格子の深さは１００ｎｍ〜５００ｎｍ程度が好ましいが特に限定されない。回折格子１０４は、コレステリック液晶層１０５の配向層としても機能する。
【００２４】
コレステリック液晶層１０５は、インクジェット法を用いて形成されている。正面から見たコレステリック液晶層１０５の状態については後述する。接着層１０６は、黒や濃い色の顔料や染料が添加されている接着材料により構成されている。接着層１０６は、粘着性が失われない粘着材料により構成してもよい。また、接着層１０６を光透過性としてもよい。
【００２５】
以下、識別媒体１０１の製造方法の一例を説明する。まず、保護層１０２を用意し、それを基材として、ホログラム形成層１０３を形成する。次にホログラム形成層１０３の露出した面にホログラム型を熱プレス法により押し当て、回折格子１０４を形成する。この際、配向層も同時に形成される。なお、配向処理を別工程でホログラム形成層１０３に対して行い、回折格子１０４に配向層として機能を付与してもよい。
【００２６】
次に、回折格子１０４上にコレステリック液晶の出発材料(原液)をインクジェット印刷法により吹き付ける。ここでは、印刷法として既知であるインクジェット法の印刷装置において、インクの代わりにコレステリック液晶の原液を用い、このコレステリック液晶の原液を被形成面(回折格子１０４上)に噴射してドット状に付着させる。この際、後述する印刷パターンに応じて付着させるコレステリック液晶層中のカイラル剤の量を調整し、得られるコレステリック液晶層からの反射光の中心波長を調整する。これにより、予め決められたパターンに複数の色から構成される色彩が表示されるようにする。
【００２７】
コレステリック液晶は、層状の構造を有し、各層での分子長軸の方向が互いに平行で、且つ、層面に平行な構造を有している。そして、各層は少しずつ回転して重なっており、立体的なスパイラル構造（螺旋構造）を有している。この螺旋構造における分子長軸の方向が３６０°回転（一回転）して元に戻るまでの層に垂直な方向における距離ｐをピッチという。そして、このピッチｐと各層内の平均屈折率ｎとから、λ＝ｎ・ｐで示される反射される円偏光の中心波長λが決まる。ここで、ｎはコレステリック液晶の種類によってほぼ決まり、ｐはカイラル剤（液晶分子を螺旋配向させるための添加材料）の添加量によって調整される。また螺旋構造の旋回方向によって、反射される円偏光の旋回方向が決まる。
【００２８】
したがって、インクジェットによって吹き付けられるコレステリック液晶材料の出発材料中のカイラル剤の量を調整することで、ドット毎にコレステリック液晶層１０５におけるピッチｐの分布を調整でき、反射光の中心波長の設定が行われる。なお、反射光の旋回方向は、螺旋構造の捩れの方向を決める添加剤の種類によって決定される。
【００２９】
コレステリック液晶の原液をインクジェット法により回折格子１０４上に付着させたら、予め決められた温度条件により、液晶分子の配向状態を成長させ、コレステリック液晶層１０５を得る。その後、接着層１０６を設け、図１に示す識別媒体１０１を得る。
【００３０】
（表示パターン）
図２は、自然光の下において、識別媒体１０１を保護層１０２の側から直接見た状態を示す正面図である。符号２０１は、背景色（背景のパターン）である。背景色２０１は、緑色に見える中心波長の右旋回円偏光を反射するコレステリック液晶層１０５の印刷パターンにより構成されている。
【００３１】
符号２０２は、２重の星型の外側の星型を構成する星型パターンであり、マトリクス状に配列した２種類のドット群によって構成されている。図９は、星型パターン２０２の一部を拡大した概念図である。図９に示すように、星型パターン２０２は、互い違いにマトリクス状に配列された２種類のドット群２０２ａと２０２ｂとによって構成されている。
【００３２】
ドット群２０２ａは、赤色の波長で右旋回円偏光を反射するコレステリック液晶のドットにより構成されている。ドット群２０２ｂは、青色の波長で左旋回円偏光を反射するコレステリック液晶のドットにより構成されている。ドット群２０２ａと２０２ｂは、インクとしてコレステリック液晶の原液を用いたインクジェット法により形成されている。色と旋回方向の選択は、上述したように添加物の量や種類を調整することで行われている。
【００３３】
ドット群２０２ａが作る像とドット群２０２ｂが作る像とは、同じ星型の像２０２とされている。この２つの像は重なっており、直視した場合は、赤と青が混ざって見えてマゼンタ色に見える。そして右旋回円偏光フィルタで見ると、ドット群２０２ａが作る赤い星型のパターン２０２が選択的に見え、左旋回円偏光フィルタで見ると、ドット群２０２ｂが作る青い星型のパターン２０２が選択的に見える。
【００３４】
図２に戻り、符合２０３は、星型パターン２０２の内側に配置された星型パターンである。星型パターン２０３は、緑色に見える中心波長の右旋回円偏光を反射するコレステリック液晶層１０５のパターンである。星型パターン２０３もコレステリック液晶のドットの集合により構成されている。図２における符号２０４は、ホログラムによる文字の表示である。ホログラム表示２０４は、回折格子１０４に起因する回折光の干渉により生成される。この回折光は、コレステリック液晶を反射層とするため円偏光の回折光となる。
【００３５】
（識別機能）
以下、識別媒体１０１の識別機能を説明する。下記表１は、識別媒体１０１の見え方をまとめた表である。
【００３６】
【表１】
2011099888.tif 000003
【００３７】
まず、識別媒体１０１を後述する光学フィルタを用いずに直接観察すると、緑色の背景色２０１を背景として、マゼンダ色の星型パターン２０２と、その内側の緑色の星型パターン２０３が観察される。またホログラム２０４が観察される。
【００３８】
図３は、識別媒体１０１を見るための光学フィルタの一例である。図３には、光学フィルタ３００が示されている。光学フィルタ３００は、右旋回円偏光を選択に透過し、その他の偏光を遮断する右旋回円偏光フィルタ部３０１と、左旋回円偏光を選択に透過し、その他の偏光を遮断する左旋回円偏光フィルタ部３０２を備えている。
【００３９】
右旋回円偏光フィルタ部３０１、左旋回円偏光フィルタ部３０２は、１／４波長板３１１と直線偏光を選択的に透過する直線偏光板３１２とを積層した構造を有している。右旋回円偏光フィルタ部３０１、左旋回円偏光フィルタ部３０２における透過光の旋回方向は、１／４波長板３１１と偏光板３１２の光軸回りの角度関係によって決められている。
【００４０】
以下、右旋回円偏光を透過する右旋回円偏光フィルタ部３０１を介して、識別媒体１０１を観察した場合を説明する。図４は、右旋回円偏光フィルタを介して識別媒体１０１を観察した場合の正面図である。
【００４１】
この場合、背景色２０１と星型パターン２０３からの右旋回円偏光は、右旋回円偏光フィルタ部３０１を透過するので、背景色２０１と星型パターン２０３は緑色に見える。そして、星型パターン２０２からの青色の左旋回円偏光は右旋回円偏光フィルタ部３０１で遮断され、星型パターン２０２からの赤色の右旋回円偏光は右旋回円偏光フィルタ部３０１を透過するので、星型パターン２０２は赤色に見える（図４）。
【００４２】
次に、左旋回円偏光を透過する左旋回円偏光フィルタ部３０２を介して、識別媒体１０１を観察した場合を説明する。図５は、左旋回円偏光フィルタを介して識別媒体１０１を観察した場合の正面図である。
【００４３】
この場合、背景色２０１と星型パターン２０３からの右旋回円偏光は、左旋回円偏光フィルタ部３０２で遮断されるので、背景色２０１と星型パターン２０３は黒色に見える（接着層１０６の黒い色が見える）。そして、星型パターン２０２からの青色の左旋回円偏光は左旋回円偏光フィルタ部３０２を透過し、星型パターン２０２からの赤色の右旋回円偏光は左旋回円偏光フィルタ部３０２で遮断されるので、星型パターン２０２は青色に見える。また、ホログラム２０４は、星型パターン２０２以外の部分において、右旋回円偏光の回折光になっているので、読み取れない（あるいは読み取り難い）。この識別媒体１０１の色の設定は一例であり、色および旋回方向の組み合わせは、請求の範囲に記載された範囲内であれば制限されない。
【００４４】
（優位性）
識別媒体１０１は、配向処理が施された回折格子１０４と、回折格子１０４に接して形成されたコレステリック液晶１０５とを備え、回折格子１０４によりホログラム像が形成され、コレステリック液晶１０５の星型パターン２０２は、図９に示す複数のドット状のパターンにより構成されており、これらドット状のパターンは、反射する中心波長が異なる第１のドット状のパターン群２０２ａと、第２のドット状のパターン群２０２ｂとを含んでいる。
【００４５】
更に、第１のドット状のパターン群２０２ａは、赤色の第１の像を形成し、第２のドット状のパターン群２０２ｂは、青色の第２の像を形成し、第１のドット状のパターン群２０２ａからの反射光の旋回方向（右旋回）と第２のドット状のパターン群２０２ｂからの反射光の旋回方向（左旋回）が逆であり、第１の像と第２の像とは同じ星型パターン２０２であり、且つ、重なる位置に形成されている。
【００４６】
この構成において、星型パターン２０２は、旋回方向と反射光の中心周波数が異なる２種類のドットの集合により像が形成されているので、直視と左右の円偏光フィルタを用いた観察において、異なる色合いに見える。このことを利用して識別が行われる。この例では、色彩の変化を利用するので、高い識別機能を得ることができる。また、色合いの違いに起因する違和感は、認識し易いので、偽装により得ることが困難な識別媒体を得ることができる。この他にもホログラムが円偏光フィルタにより可視、不可視に変化する現象を観察ことで、高い識別機能が得られる。また、コレステリック液晶層に形成されたホログラムは、複製が困難であるので、偽造が困難な識別媒体が得られる。
【００４７】
（カラー表示の他の例）
図１０は、図２の星型のパターン２０２に適用可能なドット構造の一例を示す概念図である。図１０には、マトリクス状に配置された６個の画素１０〜６０が示されている。実際には、更に多くの画素により像の表示が行われるのであるが、ここでは説明を簡単にするために６個の画素により構成される例を説明する。
【００４８】
６個の画素１０〜６０は、同じ基本構造を有している。以下、代表して画素１０について説明する。画素１０は、インクジェット法によって形成されたコレステリック液晶からなるドット１１、１２、１３を有している。ドット１１〜１３の形状は、任意であるが、ここでは楕円形状とされている。この例では、ドット１１がＲ（レッド）、ドット１２がＧ（グリーン）、ドット１３がＢ（ブルー）の３原色に割り当てられている。
【００４９】
色の設定は、ドットを構成するコレステリック液晶のピッチを調整することで行われている。具体的には、カイラル剤の添加量を調整することで、ピッチが調整され、反射光の中心波長の調整が行われている。すなわち、ドット１１は、赤（Ｒ）に対応する中心波長を反射するピッチとなるようにカイラル剤の添加量が調整されており、ドット１２は、緑（Ｇ）に対応する中心波長を反射するピッチとなるようにカイラル剤の添加量が調整されており、ドット１３は、青（Ｂ）に対応する中心波長を反射するピッチとなるようにカイラル剤の添加量が調整されている。
【００５０】
また、ドット１１〜１３は、その面積が調整されることで、３原色の配合割合が調整され、これにより画素１０が示す色彩が調整可能とされている。この調整は、インクジェット方式の印刷における噴射されるコレステリック液晶の原料の噴出量が調整されること、もしくは噴出量一定で噴出回数を調整することで行われる。なお、図１０では、各ドットの面積は同じとされ、全体が一様な色彩の例が示されている。また、ドット１１と１２は、右旋回の円偏光を反射し、ドット１３は、左旋回の円偏光を反射する設定とされている。
【００５１】
以上の点は、画素２０、３０、４０、５０、６０においても同じとされている。こうして、６個の画素１０〜６０によって、直視した場合に観察されるカラー像が構成される(実際には、更に多くの画素によりカラー像が形成される)。この構成によれば、色彩の階調表示が可能となり、濃淡のあるカラー像を識別に利用することができる。
【００５２】
また、ドット１１〜１３の大きさの組み合わせを調整することで、所望する色を得ることができるので、色彩の設定が容易に行える。
【００５３】
この例において、右旋回円偏光を選択的に透過する円偏光フィルタを用いて観察を行うと、ドット１１と１２からの反射光が見え、すなわち赤と緑が重なった色彩が見える。そして、左旋回円偏光を選択的に透過する光学フィルタを用いて観察を行うと、ドット１３からの反射光が見え、青の色彩が見える。また、円偏光フィルタを用いずに直視すると、ドット１１〜１３の３原色が合成されたカラー像が観察される。
【００５４】
（その他)
図９に示す構成において、ドット群２０２ａとドット群２０２ｂの面積比を調整することで、赤と青の割合を調整し、直視した場合の色合いを調整することができる。この場合、インクジェット法によるドットの形成における噴射するコレステリック液晶の原液の量を調整し、ドットの面積を調整すればよい。また、領域２０２ｃ毎における赤のドットと青のドットの面積比を調整することで、階調（濃淡）を有したカラー像を表示させることもできる。
【００５５】
上記の例においては、ドット群２０２ａが作る第１の像とドット群２０２ｂが作る第２の像とが同じ星型パターン２０２とされているが、第１の像と第２の像とを別な形状としてもよい。また、２つ像が一部で重なるように（つまり一部ずらし）、あるいは完全にずらした位置としてもよい。こうすることで、左右の円偏光フィルタを用いた観察において、色彩だけでなく、画像の形状や位置が切り替わる機能が得られる。
【００５６】
図１に示す構成において、接着層１０６を設ける前の段階で、コレステリック液晶層１０５にホログラム形を押し付け、コレステリック液晶層１０５のホログラムを形成してもよい。この場合、コレステリック液晶層１０５の接着層１０６に接する面の側に、回折格子１０４によるホログラムとは別のホログラムが形成される。
【００５７】
（２）第２の実施形態
図６は、他の実施形態の識別媒体を示す正面図である。図７および図８は、円偏光フィルタを介して図６の識別媒体を観察した場合を示す正面図である。
【００５８】
図６には、識別媒体４００が示されている。識別媒体４００の断面構造は、第１の実施形態と同じである。この例では、背景色４０１として緑の右旋回円偏光を反射するコレステリック液晶が選択されている。そして、図柄４０２として、赤の右旋回円偏光を反射するコレステリック液晶が選択されている。また、「ＳＥＣＵＲＩＴＹ」というも文字がホログラムにより形成されている。
【００５９】
ここで、「ＧＥＮＵＩＮＥ」という文字パターン４０３が背景と同じ色で、旋回方向が逆方向の反射光を反射するコレステリック液晶で構成されている。すなわち、「ＧＥ」と「ＮＥ」の部分は、背景色４０１と同様な緑色で旋回方向が逆の左旋回円偏光を反射するコレステリック液晶により構成され、「ＮＵＩ」の部分は、図柄４０２と同じ赤色で旋回方向が逆の左旋回円偏光を反射するコレステリック液晶により構成されている。また、背景色４０１、図柄４０２、文字パターン４０３は、コレステリック液晶のドットの集合により構成されている。
【００６０】
なお、図６では、「ＧＥＮＵＩＮＥ」という文字パターン４０３が表示されているが、上述のように文字パターン４０３は、背景と同じ色であるので、円偏光フィルタを介さず、直視した場合には、視認できない（あるいは視認し難い）。
【００６１】
右円偏光を選択的に透過する円偏光フィルタを介して識別媒体４００を見ると、「ＧＥＮＵＩＮＥ」という文字パターン４０３から反射される左旋回円偏光は観察できず、文字パターン４０３は黒く見える（図７）。この際、「ＳＥＣＵＲＩＴＹ」というも文字がホログラム像として視認される。
【００６２】
一方、左円偏光を選択的に透過する円偏光フィルタを介して識別媒体４００を見ると、「ＧＥＮＵＩＮＥ」という文字パターン４０３から反射される左旋回円偏光が観察され、他の領域からの右旋回円偏光は観察できない（あるいは観察し難い）。このため、文字パターン４０３が下地の色で見え、その他の領域は黒く見える（あるいは濃い色に見える）（図８）。
【００６３】
この例によれば、図６では見えない（あるいは見え難い）「ＧＥＮＵＩＮＥ」という文字パターン４０３が、円偏光フィルタの使用により図８に示すようにカラーの像として浮かび上がって見える潜像効果が得られる。
【００６４】
（３）第３の実施形態
コレステリック液晶層を形成した後に、このコレステリック液晶層に対してホログラム加工を施す構成も可能である。図１１は、実施形態の識別媒体の断面構造を示す概念図である。図１１には、識別媒体５００が示されている。識別媒体５００は、保護層５０１、コレステリック液晶層５０２、接着層５０３を備えている。
【００６５】
保護層５０１は、識別に利用する波長の光を透過し、且つ、透過光の偏光状態を乱さない材質(例えばＴＡＣ)により構成されている。コレステリック液晶層５０２は、図１のコレステリック液晶層１０５と同様に、インクジェット法により形成されたドット状パターンにより構成されている。接着層５０３は、接着材料や粘着材料に黒等の濃い色の顔料や染料を混ぜたものにより構成されている。接着層５０３は、識別媒体を識別対象の物品に貼り付ける機能に加えて、コレステリック液晶層５０２を透過してきた光を吸収する光吸収層としても機能する。
【００６６】
以下、識別媒体５００の製造方法の一例を説明する。まず保護層５０１を用意し、その一面に配向処理を施し、コレステリック液晶層５０２をインクジェット法により形成する。コレステリック液晶層５０２により構成される図柄は、図２に示すものが採用可能である。コレステリック液晶層５０２を形成したら、ホログラム型を熱プレスすることで、光干渉によりホログラム像を形成する回折格子（エンボス模様）５０４を形成する。その後、接着層５０３を形成し、識別媒体５００を得る。
【００６７】
（４）第４の実施形態
２種類のドット群により形成される像を右目用と左目用に振り分け、旋回方向の違いにより、各像を右目と左目とで分離して見るようにすることで、立体像を識別に利用することもできる。以下、この立体像を識別に利用する識別媒体の一例を説明する。
【００６８】
図１２は、立体像を識別に利用する識別媒体の一例を示す正面図である。図１２（Ａ）には、光学フィルタを介さずに直接観察した場合の見え方が示され、図１２（Ｂ）には、光学フィルタを介して観察した状態が示されている。
【００６９】
図１２には、識別媒体６００が示されている。識別媒体６００は、図１に示す識別媒体１０１と同じ断面構造を有している。識別媒体６００には、「ＳＥＣＵＲＩＴＹ」というホログラム表示を備え、右目用の星型Ｒ６０１と左目用の星型Ｌ６０２が形成されている。星型Ｒと星型Ｌは、コレステリック液晶のドットの集合により構成されている。この点は、第１の実施形態の場合と同じである。ここで、星型Ｒ６０１は赤色の中心波長を反射するコレステリック液晶のドットパターンの集まりにより構成され、星型Ｌ６０２は青色の中心波長を反射するコレステリック液晶のドットパターンの集まりにより構成されている。ドットパターンの詳細は、図９に示す場合と同じである。
【００７０】
星型Ｒ６０１は、右目用の画像を構成する像であり、右旋回円偏光を選択的に反射するコレステリック液晶のドットにより構成されている。星型Ｌ６０２は、左目用の画像を構成する像であり、左旋回円偏光を選択的に反射するコレステリック液晶のドットにより構成されている。星型Ｒと星型Ｌは、両目の視差の分、僅かにずれた位置に形成されており(図では誇張して示されている)、星型Ｒ６０１を右目で視認し、星型Ｌ６０２を左目で視認することで、立体像が認識される配置とされている。
【００７１】
識別媒体６００を直接見ると、星型Ｒ６０１と星型Ｌ６０２とが、左右両方の目で視認される。このため、図１２（Ａ）に示すように、ずれた位置にある星型Ｒ６０１と星型Ｌ６０２とが両方同時に見え、２重にぶれた星型の図柄が認識される。この際、星型Ｒ６０１のみが見えている部分は、赤色に見え、星型Ｌ６０２のみが見えている部分は青色に見える。そして、星型Ｒ６０１と星型Ｌ６０２とが重なっている部分は、赤と青が混ざりマゼンタ色に見える。
【００７２】
次に立体像を見る場合を説明する。この場合、右旋回円偏光を選択的に透過する右旋回円偏光フィルタを介して、右目で識別媒体６００を見る。また、左旋回円偏光を選択的に透過する左旋回円偏光フィルタを介して、左目で識別媒体６００を見る。すると、星型Ｒ６０１から反射される右旋回円偏光は、右目で見えるが、左目では見えない。逆に、星型Ｌ６０２から反射される左旋回円偏光は、左目で見えるが、右目では見えない。つまり、右目で星型Ｒ６０１が選択的に視認され、左目で星型Ｌ６０２が選択的に視認される。これにより、視覚中枢において、立体像が虚像として得られ、図１２（Ｂ）に示す星型の立体像６０３が認識される。またこの立体像６０３は、赤と青が合成されたマゼンタ色に見える。
【００７３】
識別媒体６００は、図１２（Ａ）と図１２（Ｂ）の見え方の違いにより、識別が行われる。つまり、光学フィルタを介して見た場合に立体像が浮かび上がって見える現象、およびこの際に色彩が変化する現象を利用することで、識別が行われる。
【００７４】
図１２に示す例では、コレステリック液晶のドット模様で右目用の画像と左目用の画像を構成している。そして、両画像で反射光の旋回方向を逆方向とすることで、円偏光フィルタを用いた観察において、各像を左右の目で分離して視認し、立体像を観察できるようにしている。更に、左右の像の色彩を変えることで、立体像として見た場合と、直視した場合とで、色彩の変化を感じ取ることができるようにしている。このため、高い識別機能を得ることができる。
【００７５】
なお、右目で左旋回円偏光を見、左目で右旋回円偏光を見るようにしてもよい。また、色の設定もこの例に限定されず、他の色を選択することができる。また、図１０に示すドットパターンを利用することもできる。
【産業上の利用可能性】
【００７６】
本発明は、真贋の識別を行うための技術に利用することができる。
【符号の説明】
【００７７】
１０１…識別媒体、１０２…保護層、１０３…ホログラム形成層、１０４…回折格子、１０５…コレステリック液晶層、１０６…接着層、２０１…背景色、２０２…星型パターン、２０２ａ…ドット群、２０２ｂ…ドット群、２０３…星型パターン、２０４…ホログラム表示、３００…光学フィルタ、３０１…右旋回円偏光フィルタ部、３０２…左旋回円偏光フィルタ部、３１１…１／４波長板、３１２…直線偏光板、４００…識別媒体、４０１…背景色、４０２…図柄、４０３…文字パターン、５００…識別媒体、５０１…保護層、５０２…コレステリック液晶層、５０３…接着層、５０４…回折格子、６００…識別媒体、６０１…星型Ｒ、６０２…星型Ｌ、６０３…星型の立体像。
【図１】
2011099888.tif 000004
【図２】
2011099888.tif 000005
【図３】
2011099888.tif 000006
【図４】
2011099888.tif 000007
【図５】
2011099888.tif 000008
【図６】
2011099888.tif 000009
【図７】
2011099888.tif 000010
【図８】
2011099888.tif 000011
【図９】
2011099888.tif 000012
【図１０】
2011099888.tif 000013
【図１１】
2011099888.tif 000014
【図１２】
2011099888.tif 000015